(57)【要約】【課題】利用者に天気予報を容易に把握させることができる天気予報映像化装置を提供すること。【解決手段】天気予報情報を特定するための地域情報および時刻情報を含む条件情報を入力させる条件情報入力手段１１０と、入力された条件情報に基づいて気象事業者提供サーバ２０からネットワーク１０を介して天気予報情報を取得する天気予報情報取得手段１２０と、天気予報情報に基づいて降雨の程度に応じた降雨映像を含む気象映像の情報を生成する気象映像情報生成手段１３０と、カメラ３０によって撮像され送信された地域映像の情報を受信する地域映像情報受信手段１４０と、気象映像と地域映像とを映像合成して気象合成映像を生成する気象映像合成手段１９０とを備え、気象合成映像を表示装置４０の画面に表示させるように構成する。【選択図】  図１
2004184224.tif 000002
【特許請求の範囲】
【請求項１】
天気予報情報を特定するための地域情報および時刻情報を含む条件情報を入力させる条件情報入力手段と、入力された前記条件情報に基づいて気象事業者が提供するサーバからネットワークを介して前記天気予報情報を取得する天気予報情報取得手段と、前記天気予報情報に基づいて気象映像の情報を生成する気象映像情報生成手段と、カメラによって撮像され送信された地域映像の情報を受信する地域映像情報受信手段と、前記気象映像と前記地域映像とを映像合成して気象合成映像を生成する気象映像合成手段とを備えたことを特徴とする天気予報映像化装置。
【請求項２】
前記天気予報映像化装置は、前記地域映像に基づいて前記天気予報情報に含まれる予報時刻に応じた時刻地域映像の情報を生成する時刻地域映像生成手段を備え、前記気象映像合成手段は、前記気象映像と前記時刻地域映像とを映像合成して気象合成映像を生成することを特徴とする請求項１に記載の天気予報映像化装置。
【請求項３】
前記天気予報映像化装置は、前記時刻地域映像に含まれる空の部分からなる空映像の領域を抽出する空映像抽出手段と、前記空映像の領域内に前記天気予報情報に基づいて前記空映像を擬似した擬似空映像を生成する擬似空映像生成手段と、前記擬似空映像と前記時刻地域映像とを映像合成して地域合成映像を生成する地域合成映像生成手段とを備え、前記気象映像合成手段は、前記気象映像と前記地域合成映像とを映像合成して気象合成映像を生成することを特徴とする請求項２に記載の天気予報映像化装置。
【請求項４】
前記天気予報情報取得手段は、気象事業者のリストに関するデータが予め蓄積された事業者データベースを有し、前記条件情報に基づいて前記事業者データベースから気象事業者を検索し、検索された前記気象事業者から天気予報情報を取得することを特徴とする請求項１乃至請求項３の何れかに記載の天気予報映像化装置。
【請求項５】
前記気象映像情報生成手段は、前記気象映像に関するデータが予め蓄積された気象映像データベースを有し、前記天気予報情報に基づいて前記気象映像データベースから気象映像データを検索し、検索された前記気象映像データに基づいて気象映像の情報を生成することを特徴とする請求項１乃至請求項４の何れかに記載の天気予報映像化装置。
【請求項６】
前記擬似空映像生成手段は、前記擬似空映像に関するデータが予め蓄積された空映像データベースを有し、前記天気予報情報に基づいて前記空映像データベースから空映像データを検索し、検索された前記空映像データに基づいて擬似空映像の情報を生成することを特徴とする請求項３乃至請求項５の何れかに記載の天気予報映像化装置。
【請求項７】
前記天気予報映像化装置は、前記条件情報および前記天気予報情報に関する字幕を前記気象合成映像に多重して字幕多重映像の情報を生成する字幕多重手段を備え、前記字幕多重映像の情報を外部の装置の画面に表示させることを特徴とする請求項１乃至請求項７の何れかに記載の天気予報映像化装置。
【請求項８】
前記天気予報映像化装置は、前記字幕を表示するか否かの選択をさせる表示選択手段を備え、前記字幕多重手段は、前記選択に応じて字幕を気象合成映像に多重するか否かを決定することを特徴とする請求項７に記載の天気予報映像化装置。
【請求項９】
前記天気予報映像化装置は、前記気象合成映像の情報を所定の端末に前記ネットワークを介して送信する映像送信手段を備えたことを特徴とする請求項１乃至請求項６の何れかに記載の天気予報映像化装置。
【請求項１０】
前記天気予報映像化装置は、前記条件情報および前記天気予報情報に関する字幕情報を生成する字幕情報生成手段を備え、前記映像送信手段は、前記気象合成映像の情報と共に前記字幕情報を所定の端末に前記ネットワークを介して送信することを特徴とする請求項９に記載の天気予報映像化装置。
【発明の詳細な説明】
【０００１】
【発明の属する技術分野】
本発明は、天気予報情報に基づいて各地域の映像を予測した合成映像を生成する天気予報映像化装置に関する。
【０００２】
【従来の技術】
この種の従来の天気予報映像化装置としては、図１０に示すように、天気予報情報を特定するための地域情報および時刻情報を含む条件情報を入力させる条件情報入力手段１１０と、入力された条件情報に基づいて気象事業者提供サーバ２０からネットワーク１０を介して天気予報情報を取得する天気予報情報取得手段１０１０と、条件情報および天気予報情報に関する字幕を、カメラ３０によって撮像され送信された地域のライブ映像に多重する字幕多重手段１０２０とを備えた天気予報映像化装置１０００が、多重された字幕多重映像を表示装置４０の画面に表示させるものが知られている（例えば、特許文献１参照。）。
なお、図１１は、前述の従来の天気予報映像化装置が表示装置４０の画面に表示させた字幕多重映像を示す図である。図１１に示すように、画面７０１には、条件情報に含まれる地域情報、天気予報情報に含まれる予報時刻、降水確率、日照予報などの情報を表示した字幕１１０１と地域のライブ映像１１０２が表示されている。
【０００３】
【特許文献１】
特開平１１−３４１１９４号公報（３２段落目、図４）
【０００４】
【発明が解決しようとする課題】
しかしながら、このような従来の天気予報映像化装置では、降水確率などの情報が文字や記号を用いて画面に表示されているために、利用者が実際の気象状況や降水量を把握しずらいという問題があった。例えば、「降水確率６０％、毎時降水量１５ｍｍ」という文字や記号を用いて画面に表示されても、利用者は、どの程度の雨量であるのかを把握することができなかった。
本発明は、このような従来の問題を解決するためになされたもので、利用者に天気予報を容易に把握させることができる天気予報映像化装置を提供するものである。
【０００５】
【課題を解決するための手段】
本発明の天気予報映像化装置は、天気予報情報を特定するための地域情報および時刻情報を含む条件情報を入力させる条件情報入力手段と、入力された前記条件情報に基づいて気象事業者が提供するサーバからネットワークを介して前記天気予報情報を取得する天気予報情報取得手段と、前記天気予報情報に基づいて気象映像の情報を生成する気象映像情報生成手段と、カメラによって撮像され送信された地域映像の情報を受信する地域映像情報受信手段と、前記気象映像と前記地域映像とを映像合成して気象合成映像を生成する気象映像合成手段とを備えた構成を有している。
この構成により、天気予報情報に基づいて降雨の程度に応じた降雨映像を含む気象映像と地域映像とを映像合成して表示するため、容易に把握できる天気予報を利用者に提供することができる。
【０００６】
また、本発明の天気予報映像化装置は、天気予報情報を特定するための地域情報および時刻情報を含む条件情報を入力させる条件情報入力手段と、入力された前記条件情報に基づいて気象事業者が提供するサーバからネットワークを介して前記天気予報情報を取得する天気予報情報取得手段と、前記天気予報情報に基づいて気象映像の情報を生成する気象映像情報生成手段と、カメラによって撮像され送信された地域映像の情報を受信する地域映像情報受信手段と、前記気象映像と前記地域映像とを映像合成して気象合成映像を生成する気象映像合成手段とを備え、さらに、前記地域映像に基づいて前記天気予報情報に含まれる予報時刻に応じた時刻地域映像の情報を生成する時刻地域映像生成手段を備え、前記気象映像合成手段は、前記気象映像と前記時刻地域映像とを映像合成して気象合成映像を生成する構成を有している。
この構成により、予報の時間に合わせた地域映像である時刻地域映像を生成するため、リアルな映像を表示することができる。
【０００７】
また、本発明の天気予報映像化装置は、天気予報情報を特定するための地域情報および時刻情報を含む条件情報を入力させる条件情報入力手段と、入力された前記条件情報に基づいて気象事業者が提供するサーバからネットワークを介して前記天気予報情報を取得する天気予報情報取得手段と、前記天気予報情報に基づいて気象映像の情報を生成する気象映像情報生成手段と、カメラによって撮像され送信された地域映像の情報を受信する地域映像情報受信手段と、前記気象映像と前記地域映像とを映像合成して気象合成映像を生成する気象映像合成手段とを備え、さらに、前記時刻地域映像に含まれる空の部分からなる空映像の領域を抽出する空映像抽出手段と、前記空映像の領域内に前記天気予報情報に基づいて前記空映像を擬似した擬似空映像を生成する擬似空映像生成手段と、前記擬似空映像と前記時刻地域映像とを映像合成して地域合成映像を生成する地域合成映像生成手段とを備え、前記気象映像合成手段は、前記気象映像と前記地域合成映像とを映像合成して気象合成映像を生成する構成を有している。
この構成により、地域映像に含まれる空の部分を天気予報情報に合わせて擬似するため、さらに現実的な映像を表示することができる。
【０００８】
また、本発明の天気予報映像化装置は、天気予報情報を特定するための地域情報および時刻情報を含む条件情報を入力させる条件情報入力手段と、入力された前記条件情報に基づいて気象事業者が提供するサーバからネットワークを介して前記天気予報情報を取得する天気予報情報取得手段と、前記天気予報情報に基づいて気象映像の情報を生成する気象映像情報生成手段と、カメラによって撮像され送信された地域映像の情報を受信する地域映像情報受信手段と、前記気象映像と前記地域映像とを映像合成して気象合成映像を生成する気象映像合成手段とを備え、さらに、前記天気予報情報取得手段は、気象事業者のリストに関するデータが予め蓄積された事業者データベースを有し、前記条件情報に基づいて前記事業者データベースから気象事業者を検索し、検索された前記気象事業者から天気予報情報を取得する構成を有している。
この構成により、条件情報に基づいて事業者データベースから気象事業者を選択するため、幅広く地域の天気予報を網羅することができ、気象事業者が提供するサーバが通信不能であるときには、他の気象事業者に代替えすることができる。
【０００９】
また、本発明の天気予報映像化装置は、天気予報情報を特定するための地域情報および時刻情報を含む条件情報を入力させる条件情報入力手段と、入力された前記条件情報に基づいて気象事業者が提供するサーバからネットワークを介して前記天気予報情報を取得する天気予報情報取得手段と、前記天気予報情報に基づいて気象映像の情報を生成する気象映像情報生成手段と、カメラによって撮像され送信された地域映像の情報を受信する地域映像情報受信手段と、前記気象映像と前記地域映像とを映像合成して気象合成映像を生成する気象映像合成手段とを備え、さらに、前記気象映像情報生成手段は、前記気象映像に関するデータが予め蓄積された気象映像データベースを有し、前記天気予報情報に基づいて前記気象映像データベースから気象映像データを検索し、検索された前記気象映像データに基づいて気象映像の情報を生成する構成を有している。
この構成により、気象映像データを最初から生成するのではなく気象映像データベースから気象映像データを選択するため、気象映像を生成するための処理効率を高めることができる。
【００１０】
また、本発明の天気予報映像化装置は、天気予報情報を特定するための地域情報および時刻情報を含む条件情報を入力させる条件情報入力手段と、入力された前記条件情報に基づいて気象事業者が提供するサーバからネットワークを介して前記天気予報情報を取得する天気予報情報取得手段と、前記天気予報情報に基づいて気象映像の情報を生成する気象映像情報生成手段と、カメラによって撮像され送信された地域映像の情報を受信する地域映像情報受信手段と、前記気象映像と前記地域映像とを映像合成して気象合成映像を生成する気象映像合成手段とを備え、さらに、前記擬似空映像生成手段は、前記擬似空映像に関するデータが予め蓄積された空映像データベースを有し、前記天気予報情報に基づいて前記空映像データベースから空映像データを検索し、検索された前記空映像データに基づいて擬似空映像の情報を生成する構成を有している。
この構成により、空映像データを最初から生成するのではなく空映像データベースから空映像データを選択するため、擬似空映像を生成するための処理効率を高めることができる。
【００１１】
また、本発明の天気予報映像化装置は、天気予報情報を特定するための地域情報および時刻情報を含む条件情報を入力させる条件情報入力手段と、入力された前記条件情報に基づいて気象事業者が提供するサーバからネットワークを介して前記天気予報情報を取得する天気予報情報取得手段と、前記天気予報情報に基づいて気象映像の情報を生成する気象映像情報生成手段と、カメラによって撮像され送信された地域映像の情報を受信する地域映像情報受信手段と、前記気象映像と前記地域映像とを映像合成して気象合成映像を生成する気象映像合成手段とを備え、さらに、前記条件情報および前記天気予報情報に関する字幕を前記気象合成映像に多重して字幕多重映像の情報を生成する字幕多重手段を備え、前記字幕多重映像の情報を外部の装置の画面に表示させる構成を有している。
この構成により、天気予報情報に基づいて降雨の程度に応じた降雨映像を含む気象映像と地域映像とを映像合成すると共に字幕を表示するため、さらに容易に把握できる天気予報を利用者に提供することができる。
【００１２】
また、本発明の天気予報映像化装置は、天気予報情報を特定するための地域情報および時刻情報を含む条件情報を入力させる条件情報入力手段と、入力された前記条件情報に基づいて気象事業者が提供するサーバからネットワークを介して前記天気予報情報を取得する天気予報情報取得手段と、前記天気予報情報に基づいて気象映像の情報を生成する気象映像情報生成手段と、カメラによって撮像され送信された地域映像の情報を受信する地域映像情報受信手段と、前記気象映像と前記地域映像とを映像合成して気象合成映像を生成する気象映像合成手段とを備え、さらに、前記字幕を表示するか否かの選択をさせる表示選択手段を備え、前記字幕多重手段は、前記選択に応じて字幕を気象合成映像に多重するか否かを決定する構成を有している。
この構成により、字幕を表示するか否かの選択ができるため、表示の利便性を高めることができる。
【００１３】
また、本発明の天気予報映像化装置は、天気予報情報を特定するための地域情報および時刻情報を含む条件情報を入力させる条件情報入力手段と、入力された前記条件情報に基づいて気象事業者が提供するサーバからネットワークを介して前記天気予報情報を取得する天気予報情報取得手段と、前記天気予報情報に基づいて気象映像の情報を生成する気象映像情報生成手段と、カメラによって撮像され送信された地域映像の情報を受信する地域映像情報受信手段と、前記気象映像と前記地域映像とを映像合成して気象合成映像を生成する気象映像合成手段とを備え、さらに、前記気象合成映像の情報を所定の端末に前記ネットワークを介して送信する映像送信手段を備えた構成を有している。
この構成により、気象合成映像の情報をネットワークを介して送信するため、住宅やオフィスなどに設置しているパソコンなどの端末の画面や携帯端末の画面に表示することができる。
【００１４】
また、本発明の天気予報映像化装置は、天気予報情報を特定するための地域情報および時刻情報を含む条件情報を入力させる条件情報入力手段と、入力された前記条件情報に基づいて気象事業者が提供するサーバからネットワークを介して前記天気予報情報を取得する天気予報情報取得手段と、前記天気予報情報に基づいて気象映像の情報を生成する気象映像情報生成手段と、カメラによって撮像され送信された地域映像の情報を受信する地域映像情報受信手段と、前記気象映像と前記地域映像とを映像合成して気象合成映像を生成する気象映像合成手段とを備え、さらに、前記条件情報および前記天気予報情報に関する字幕情報を生成する字幕情報生成手段を備え、前記映像送信手段は、前記気象合成映像の情報と共に前記字幕情報を所定の端末に前記ネットワークを介して送信する構成を有している。
この構成により、気象合成映像の情報と共に字幕情報をネットワークを介して送信するため、容易に把握できる天気予報を住宅やオフィスなどに設置しているパソコンなどの端末や携帯端末を使用する利用者に提供することができる。
【００１５】
【発明の実施の形態】
以下、本発明の実施の形態について、図面を参照して説明する。
（第１の実施の形態）
図１は、本発明の第１の実施の形態の天気予報映像化装置のブロック構成図である。本発明の第１の実施の形態の天気予報映像化装置１００は、天気予報情報を特定するための地域情報および時刻情報を含む条件情報を入力させる条件情報入力手段１１０、入力された条件情報に基づいて気象事業者提供サーバ２０からネットワーク１０を介して天気予報情報を取得する天気予報情報取得手段１２０、天気予報情報に基づいて気象映像の情報を生成する気象映像情報生成手段１３０、カメラ３０によって撮像され送信された地域映像の情報を受信する地域映像情報受信手段１４０、地域映像に基づいて天気予報情報に含まれる予報時刻に応じた時刻地域映像の情報を生成する時刻地域映像生成手段１５０、時刻地域映像に含まれる空の部分からなる空映像の領域を抽出する空映像抽出手段１６０、空映像の領域内に天気予報情報に基づいて空映像を擬似した擬似空映像を生成する擬似空映像生成手段１７０、擬似空映像と時刻地域映像とを映像合成して地域合成映像を生成する地域合成映像生成手段１８０、及び気象映像と地域映像とを映像合成して気象合成映像を生成する気象映像合成手段１９０を含むように構成される。
なお、気象事業者提供サーバ２０及びカメラ３０は複数存在するが、説明の都合上、それぞれ１つだけを図示する。
【００１６】
条件情報入力手段１１０は、利用者にキーボードやタッチパネル等の入力装置から天気予報情報を特定するための地域情報および時刻情報を含む条件情報を入力させるようになっている。例えば、条件情報入力手段１１０は、「横浜港」、「１５時００分」等の条件情報を入力させ、天気予報情報取得手段１２０に出力するようになっている。
【００１７】
天気予報情報取得手段１２０は、条件情報入力手段１１０によって出力された条件情報が入力され、入力された条件情報に基づいて気象事業者提供サーバ２０からネットワーク１０を介して天気予報情報を取得するようになっている。
【００１８】
図２は、天気予報情報取得手段１２０のブロック構成図である。天気予報情報取得手段１２０は、気象事業者提供サーバ２０を検索する事業者検索手段１２１、気象事業者のリストに関するデータが予め蓄積された事業者データベース１２２、天気予報情報を要求するための要求信号を送信する要求信号送信手段１２３、及び天気予報情報を解析する解析手段１２４によって構成される。
【００１９】
事業者検索手段１２１には、条件情報入力手段１１０によって出力された条件情報が入力され、事業者検索手段１２１は、入力された条件情報に応じて気象事業者提供サーバ２０を検索するための条件情報を生成し、生成された条件情報を事業者データベース１２２及び要求信号送信手段１２３に出力するようになっている。
【００２０】
事業者データベース１２２には、事業者検索手段１２１によって出力された条件情報が入力され、事業者データベース１２２は、入力された条件情報に基づいて、気象事業者のリストから適切な気象事業者を検索し、検索された気象事業者が提供する気象事業者提供サーバ２０のアドレス、ＵＲＬ（Ｕｎｉｆｏｒｍ  Ｒｅｓｏｕｒｃｅ  Ｌｏｃａｔｏｒ）などを要求信号送信手段１２３に出力するようになっている。
【００２１】
要求信号送信手段１２３には、事業者検索手段１２１によって出力された条件情報、事業者データベース１２２によって出力された気象事業者提供サーバ２０のアドレスなどが入力され、要求信号送信手段１２３は、入力された条件情報と気象事業者提供サーバ２０のアドレスとに基づいて天気予報情報を要求するための要求信号を生成し、生成された要求信号をネットワーク１０を介して気象事業者提供サーバ２０に送信するようになっている。
【００２２】
解析手段１２４は、気象事業者提供サーバ２０からネットワーク１０を介して送信された情報を受信し、受信された情報を解析して予報時刻、降水確率、毎時降雨量、日照予報などの情報を含む天気予報情報を気象映像情報生成手段１３０、時刻地域映像生成手段１５０、及び擬似空映像生成手段１７０に出力するようになっている。
【００２３】
なお、本発明によれば、受信された情報を解析した結果、情報が不適切であったときには、解析手段１２４は、再度検索を要求する旨の情報を事業者検索手段１２１に出力してもよい。また、再度検索を要求する旨の情報を入力した事業者検索手段１２１は、気象事業者提供サーバ２０を検索するための条件情報を再度生成し、生成された条件情報を事業者データベース１２２及び要求信号送信手段１２３に出力する。
【００２４】
気象映像情報生成手段１３０には、天気予報情報取得手段１２０によって出力された天気予報情報が入力され、気象映像情報生成手段１３０は、入力された天気予報情報に基づいて気象映像の情報を生成するようになっている。なお、気象映像は、降雨の様子を表す映像などであって、降雨の程度に応じた降雨映像または降雪の様子を表す降雪映像などを含む。
【００２５】
図３は、気象映像情報生成手段１３０のブロック構成図である。気象映像情報生成手段１３０は、気象映像の情報を検索する気象映像検索手段１３１及び気象映像に関するデータが予め蓄積された気象映像データベース１３２によって構成される。
【００２６】
気象映像検索手段１３１には、天気予報情報取得手段１２０によって出力された天気予報情報が入力され、気象映像検索手段１３１は、入力された天気予報情報に含まれる降水確率、毎時降雨量、日照予報などの情報に応じて気象映像を検索するための検索情報を生成し、生成された検索情報を気象映像データベース１３２に出力するようになっている。
【００２７】
気象映像データベース１３２には、気象映像検索手段１３１によって出力された検索情報が入力され、気象映像データベース１３２は、入力された検索情報に基づいて気象映像データを検索し、検索された気象映像データに基づいて気象映像の情報を生成し、生成された気象映像の情報を気象映像合成手段１９０に出力するようになっている。
気象映像データベース１３２は、毎時降雨量などの情報に対応した気象映像データが予め蓄積されており、例えば、毎時降雨量が３００ｍｍという強い雨の検索情報を入力したときには、土砂降りの様子を表現する降雨映像データを出力するようになっている。
【００２８】
地域映像情報受信手段１４０は、カメラ３０によって撮像され送信された地域映像の情報を受信し、受信された地域映像の情報を時刻地域映像生成手段１５０に出力するようになっている。なお、地域映像は、港周辺や駅周辺や街頭などの地域の様子を表す映像を含む。
【００２９】
時刻地域映像生成手段１５０には、地域映像情報受信手段１４０によって出力された地域映像の情報及び天気予報情報取得手段１２０によって出力された天気予報情報が入力され、時刻地域映像生成手段１５０は、入力された地域映像に基づいて、入力された天気予報情報に含まれる予報時刻に応じた時刻地域映像を生成し、生成された時刻地域映像の情報を空映像抽出手段１６０に出力するようになっている。
【００３０】
例えば、時刻地域映像生成手段１５０は、毎正時に地域映像情報受信手段１４０によって出力された地域映像を正時毎に分けて蓄積し、正時毎の時刻地域映像を生成するために、正時毎に分けて蓄積された各正時の地域映像の情報に基づいて加算平均の処理を施して時刻地域映像を生成するようになっている。例えば、天気予報情報に含まれる予報時刻が１５：００であれば、時刻地域映像生成手段１５０は、１５：００に地域映像情報受信手段１４０によって出力された１日前から３０日前までの地域映像を加算平均の処理を施して１５：００の時刻地域映像を生成するようになっている。なお、正時や３０日前というパラメータは、例示したものであって、固定されたものではない。
【００３１】
空映像抽出手段１６０には、時刻地域映像生成手段１５０によって出力された時刻地域映像の情報が入力され、空映像抽出手段１６０は、入力された時刻地域映像に含まれる空の部分からなる空映像の領域を抽出し、抽出された空映像の領域を示す情報及び時刻地域映像の情報を擬似空映像生成手段１７０に出力するようになっている。
例えば、空映像抽出手段１６０は、時刻地域映像に含まれる色成分が空を示す色成分のしきい値の範囲以内か否かを判断したり、また、輝度成分のテクスチャ分析などを用たりすることで、空映像の領域を抽出するようになっている。
【００３２】
擬似空映像生成手段１７０には、空映像抽出手段１６０によって出力された空映像の領域を示す情報、時刻地域映像の情報及び天気予報情報取得手段１２０によって出力された天気予報情報が入力され、擬似空映像生成手段１７０は、入力された空映像の領域内に天気予報情報に基づいて空映像を擬似した擬似空映像を生成するようになっている。
【００３３】
図４は、擬似空映像生成手段１７０のブロック構成図である。擬似空映像生成手段１７０は、空映像データを検索する擬似空映像検索手段１７１、擬似空映像に関するデータが予め蓄積された空映像データベース１７２、及び空映像データに基づいて擬似空映像の情報を生成する擬似空映像生成手段１７３によって構成される。
【００３４】
擬似空映像検索手段１７１には、天気予報情報取得手段１２０によって出力された天気予報情報が入力され、擬似空映像検索手段１７１は、入力された天気予報情報に含まれる降水確率、毎時降雨量、日照予報などの情報に応じて擬似空映像を検索するための検索情報を生成し、生成された検索情報を空映像データベース１７２に出力するようになっている。
【００３５】
空映像データベース１７２には、擬似空映像検索手段１７１によって出力された検索情報が入力され、空映像データベース１７２は、入力された検索情報に基づいて空映像データを検索し、検索された空映像データを擬似空映像生成手段１７３に出力するようになっている。例えば、空映像データには、空のテクスチャすなわち空の模様のデータが含まれる。
【００３６】
擬似空映像生成手段１７３には、空映像データベース１７２によって出力された空映像データ及び空映像抽出手段１６０によって出力された空映像の領域を示す情報が入力され、擬似空映像生成手段１７３は、入力された空映像の領域内に空映像データに基づいて擬似空映像を生成するようになっている。例えば、擬似空映像生成手段１７３は、空映像の領域内に空のテクスチャを貼りつける処理を行うようになっている。擬似空映像生成手段１７３は、生成された擬似空映像の情報及び時刻地域映像の情報を地域合成映像生成手段１８０に出力するようになっている。
【００３７】
地域合成映像生成手段１８０には、擬似空映像生成手段１７０によって出力された擬似空映像の情報及び時刻地域映像の情報が入力され、地域合成映像生成手段１８０は、入力された擬似空映像と時刻地域映像とを映像合成して地域合成映像を生成し、生成された地域合成映像の情報を気象映像合成手段１９０に出力するようになっている。例えば、地域合成映像生成手段１８０は、時刻地域映像の空映像の領域内に擬似空映像を加算処理して地域合成映像を生成するようになっている。なお、本発明によれば、地域合成映像生成手段１８０は、天気予報情報取得手段１２０によって出力された天気予報情報を入力して、天気予報情報に含まれる予報時刻と日照予報とに基づいて照度を算出して、地域合成映像の照度を補正し、補正された地域合成映像の情報を気象映像合成手段１９０に出力するようにしてもよい。
【００３８】
気象映像合成手段１９０には、気象映像情報生成手段１３０によって出力された気象映像の情報及び地域合成映像生成手段１８０によって出力された地域合成映像の情報が入力され、気象映像合成手段１９０は、入力された気象映像と地域映像とを映像合成して気象合成映像を生成し、生成された気象合成映像を表示装置４０の画面に表示させるようになっている。図７は、本発明の天気予報映像化装置が表示装置４０の画面に表示させた字幕多重映像を示す図であり、例えば、気象映像合成手段１９０は、気象映像７０２と地域合成映像７０４とを映像合成して気象合成映像を生成して表示装置４０の画面７０１に表示させるようになっている。なお、画面７０１内の字幕７０３に関しては後述する。
【００３９】
なお、本発明によれば、地域映像情報受信手段１４０は、地域映像の情報を気象映像合成手段１９０に出力し、出力された地域映像の情報を気象映像合成手段１９０が気象映像と地域映像とを映像合成して気象合成映像を生成するようにしてもよい。また、時刻地域映像生成手段１５０は、時刻地域映像を気象映像合成手段１９０に出力し、出力された時刻地域映像を気象映像合成手段１９０が気象映像と時刻地域映像とを映像合成して気象合成映像を生成するようにしてもよい。
【００４０】
以下、本発明の第１の実施の形態に係る天気予報映像化装置１００の動作について、図１を参照して説明する。
まず、条件情報が利用者によって入力されて条件情報入力手段１１０を介して天気予報情報取得手段１２０に出力されたときには、天気予報情報が条件情報に基づいて天気予報情報取得手段１２０によって気象事業者提供サーバ２０からネットワーク１０を介して取得され、気象映像情報生成手段１３０に出力され、時刻地域映像生成手段１５０に出力され、かつ擬似空映像生成手段１７０に出力される。次いで、天気予報情報に基づいて、気象映像情報生成手段１３０によって生成された気象映像が気象映像合成手段１９０に出力される。
一方、カメラ３０から送信された地域映像は、地域映像情報受信手段１４０によって受信され時刻地域映像生成手段１５０に出力され、地域映像に基づいて時刻地域映像生成手段１５０によって天気予報情報に含まれる予報時刻に応じた時刻地域映像として形成される。次いで、空映像の領域を示す情報が地域映像に基づいて生成された時刻地域映像から空映像抽出手段１６０によって抽出されて擬似空映像生成手段１７０に出力される。天気予報情報に基づいて、擬似空映像生成手段１７０によって空映像の領域内に貼り付けて生成された擬似空映像が地域合成映像生成手段１８０に出力されて、地域合成映像が地域合成映像生成手段１８０によって擬似空映像と時刻地域映像とに基づいて映像合成され、気象映像合成手段１９０に出力される。その後、気象合成映像が気象映像合成手段１９０によって気象映像と地域合成映像とに基づいて映像合成され、表示装置４０に出力される。
【００４１】
以上説明したように、本発明の第１の実施の形態の天気予報映像化装置は、天気予報情報に基づいて降雨の程度に応じた降雨映像を含む気象映像と地域映像とを映像合成して表示するため、容易に把握できる天気予報を利用者に提供することができる。また、予報の時間に合わせた地域映像である時刻地域映像を生成するため、リアルな映像を表示することができる。
【００４２】
（第２の実施の形態）
図５は、本発明の第２の実施の形態の天気予報映像化装置のブロック構成図である。図５において、天気予報映像化装置２００は、本発明の第１の実施の形態の天気予報映像化装置に加え、さらに、条件情報および天気予報情報に関する字幕を気象合成映像に多重して字幕多重映像の情報を生成する字幕多重手段２１０及び字幕を表示するか否かの選択をさせる表示選択手段２２０を含むように構成される。
なお、本発明の第２の実施の形態の天気予報映像化装置２００を構成する手段のうち、本発明の第１の実施の形態の天気予報映像化装置１００を構成する手段と同一の手段には同一の符号を付し、それぞれの説明を省略する。
【００４３】
字幕多重手段２１０には、気象映像合成手段１９０によって出力された気象合成映像の情報、条件情報入力手段１１０によって出力された条件情報、及び天気予報情報取得手段１２０によって出力された天気予報情報が入力され、字幕多重手段２１０は、入力された条件情報および天気予報情報に関する字幕を気象合成映像に多重するようになっている。
【００４４】
図６は、字幕多重手段２１０のブロック構成図である。字幕多重手段２１０は、字幕映像を生成する字幕映像生成手段２１１及び字幕映像を気象合成映像に多重する字幕映像多重化手段２１２によって構成される。
【００４５】
字幕映像生成手段２１１には、条件情報入力手段１１０によって出力された条件情報、及び天気予報情報取得手段１２０によって出力された天気予報情報が入力され、字幕映像生成手段２１１は、入力された条件情報及び天気予報情報に応じて字幕映像を生成し、生成された字幕映像の情報を字幕映像多重化手段２１２に出力するようになっている。
【００４６】
字幕映像多重化手段２１２には、字幕映像生成手段２１１によって出力された字幕映像の情報及び気象映像合成手段１９０によって出力された気象合成映像の情報が入力され、字幕映像多重化手段２１２は、入力された気象合成映像に字幕映像を多重して字幕多重映像の情報を生成し、生成した字幕多重映像を表示装置４０の画面に表示させるようになっている。
【００４７】
さらに、字幕映像多重化手段２１２には、表示選択手段２２０によって出力された選択情報が入力され、字幕映像多重化手段２１２は、入力された選択情報に応じて字幕７０３を気象合成映像に多重するか否かを決定するようになっている。
【００４８】
例えば、図７に示すように、字幕多重手段２１０は、条件情報に含まれる地域情報、天気予報情報に含まれる予報時刻、降水確率、日照予報などの情報を表示した字幕７０３を気象合成映像に多重するようになっている。
【００４９】
表示選択手段２２０は、利用者にキーボードやタッチパネル等の入力装置から字幕７０３を表示するか否かの選択をさせ、選択に応じて選択情報を生成し、生成された選択情報を字幕多重手段２１０に出力するようになっている。
【００５０】
以下、本発明の第２の実施の形態に係る天気予報映像化装置２００の動作について、図５を参照して説明する。なお、天気予報映像化装置２００の動作のうち、本発明の第１の実施の形態に係る天気予報映像化装置１００の動作と同一の部分については、その説明を省略する。
まず、条件情報および天気予報情報に関する字幕が条件情報及び天気予報情報に基づいて字幕多重手段２１０によって生成されて気象合成映像に多重され、字幕多重映像が表示装置４０の画面に表示される。一方、キーボードやタッチパネル等の入力装置から出力された選択情報が表示選択手段２２０によって字幕多重手段２１０に出力され、選択情報に応じて表示有無が字幕多重手段２１０によって選択される。
【００５１】
以上説明したように、本発明の第２の実施の形態の天気予報映像化装置は、天気予報情報に基づいて降雨の程度に応じた降雨映像を含む気象映像と地域映像とを映像合成すると共に字幕を表示するため、利用者に天気予報をさらに容易に把握させることができる。また、字幕を表示するか否かの選択ができるため、表示の利便性を高めることができる。
【００５２】
（第３の実施の形態）
図８は、本発明の第３の実施の形態の天気予報映像化装置のブロック構成図である。図８において、天気予報映像化装置３００は、本発明の第１の実施の形態の天気予報映像化装置に加え、さらに、条件情報および天気予報情報に関する字幕情報を生成する字幕情報生成手段３１０及び気象合成映像の情報を所定の端末にネットワーク１０を介して送信する映像送信手段３２０を含むように構成される。
なお、本発明の第３の実施の形態の天気予報映像化装置３００を構成する手段のうち、本発明の第１の実施の形態の天気予報映像化装置１００を構成する手段と同一の手段には同一の符号を付し、それぞれの説明を省略する。ネットワーク１０は、説明の都合上、２つ図示しているが同一のものである。
【００５３】
字幕情報生成手段３１０には、条件情報入力手段１１０によって出力された条件情報及び天気予報情報取得手段１２０によって出力された天気予報情報が入力され、字幕情報生成手段３１０は、入力された条件情報に含まれる地域情報、天気予報情報に含まれる予報時刻、降水確率、日照予報などの情報を例えばアスキーコード等の文字コードに変換して字幕情報を生成し、生成された字幕情報を映像送信手段３２０に出力するようになっている。
【００５４】
映像送信手段３２０には、字幕情報生成手段３１０によって出力された字幕情報及び気象映像合成手段１９０によって出力された気象合成映像の情報が入力され、映像送信手段３２０は、入力された字幕情報及び気象合成映像の情報を所定の端末にネットワーク１０を介して送信するようになっている。
【００５５】
図９は、映像送信手段３２０のブロック構成図である。映像送信手段３２０は、気象合成映像の情報を符号化する気象映像情報符号化手段３２１、字幕情報を符号化する字幕情報符号化手段３２２、符号化された情報を多重化する多重化手段３２３、及び多重化された情報を所定の端末にネットワーク１０を介して送信する送信手段３２４によって構成される。
【００５６】
気象映像情報符号化手段３２１には、気象映像合成手段１９０によって出力された気象合成映像の情報が入力され、気象映像情報符号化手段３２１は、入力された気象合成映像の情報をＭＰＥＧ（Ｍｏｖｉｎｇ  Ｐｉｃｔｕｒｅ  Ｅｘｐｅｒｔｓ  Ｇｒｏｕｐ）等の規格に準拠して符号化し、符号化された気象合成映像の情報を多重化手段３２３に出力するようになっている。
【００５７】
字幕情報符号化手段３２２には、字幕情報生成手段３１０によって出力された字幕情報が入力され、字幕情報符号化手段３２２は、入力された字幕情報を符号化し、符号化された字幕情報を多重化手段３２３に出力するようになっている。
【００５８】
多重化手段３２３には、気象映像情報符号化手段３２１によって出力された気象合成映像の情報及び字幕情報符号化手段３２２によって出力された字幕情報が入力され、多重化手段３２３は、入力された気象合成映像の情報と字幕情報とを多重化して伝送符号情報を送信手段３２４に出力するようになっている。
【００５９】
送信手段３２４には、多重化手段３２３によって出力された伝送符号情報が入力され、送信手段３２４は、入力された伝送符号情報を所定の端末にネットワーク１０を介して送信するようになっている。
【００６０】
以下、本発明の第３の実施の形態に係る天気予報映像化装置３００の動作について、図８を参照して説明する。なお、天気予報映像化装置３００の動作のうち、本発明の第１の実施の形態に係る天気予報映像化装置１００の動作と同一の部分については、その説明を省略する。
まず、条件情報に含まれる地域情報、天気予報情報に含まれる予報時刻、降水確率、日照予報などの情報が字幕情報生成手段３１０によって文字コードに変換され、字幕情報が生成されて映像送信手段３２０に出力される。次いで、気象合成映像の情報、字幕情報が映像送信手段３２０に符号化され、多重化されて所定の端末にネットワーク１０を介して送信される。
【００６１】
以上説明したように、本発明の第３の実施の形態の天気予報映像化装置は、気象合成映像の情報をネットワークを介して送信するため、住宅やオフィスなどに設置しているパソコンなどの端末の画面や携帯端末の画面に表示することができ、さらに、気象合成映像の情報と共に字幕情報をネットワークを介して送信するため、容易に把握できる天気予報を住宅やオフィスなどに設置しているパソコンなどの端末や携帯端末を使用する利用者に提供することができる。
【００６２】
【発明の効果】
以上説明したように、本発明は、天気予報情報に基づいて降雨の程度に応じた降雨映像を含む気象映像と地域映像とを映像合成して表示するため、利用者に天気予報を容易に把握させることができる天気予報映像化装置を提供するものである。
【図面の簡単な説明】
【図１】本発明の第１の実施の形態の天気予報映像化装置のブロック構成図
【図２】天気予報情報取得手段のブロック構成図
【図３】気象映像情報生成手段のブロック構成図
【図４】擬似空映像生成手段のブロック構成図
【図５】本発明の第２の実施の形態の天気予報映像化装置のブロック構成図
【図６】字幕多重手段のブロック構成図
【図７】本発明の天気予報映像化装置が表示装置の画面に表示させた字幕多重映像を示す図
【図８】本発明の第３の実施の形態の天気予報映像化装置のブロック構成図
【図９】映像送信手段のブロック構成図
【図１０】従来の天気予報映像化装置のブロック構成図
【図１１】従来の天気予報映像化装置が表示装置の画面に表示させた字幕多重映像を示す図
【符号の説明】
１０  ネットワーク
２０  気象事業者提供サーバ
３０  カメラ
４０  表示装置
１００、２００、３００、１０００  天気予報映像化装置
１１０、１０１０  条件情報入力手段
１２０  天気予報情報取得手段
１２１  事業者検索手段
１２２  事業者データベース
１２３  要求信号送信手段
１２４  解析手段
１３０  気象映像情報生成手段
１３１  気象映像検索手段
１３２  気象映像データベース
１４０  地域映像情報受信手段
１５０  時刻地域映像生成手段
１６０  空映像抽出手段
１７０  擬似空映像生成手段
１７１  擬似空映像検索手段
１７２  空映像データベース
１７３  擬似空映像生成手段
１８０  地域合成映像生成手段
１９０  気象映像合成手段
２１０、１０２０  字幕多重手段
２１１  字幕映像生成手段
２１２  字幕映像多重化手段
２２０  表示選択手段
３１０  字幕情報生成手段
３２０  映像送信手段
３２１  気象映像情報符号化手段
３２２  字幕情報符号化手段
３２３  多重化手段
３２４  送信手段
７０１  画面
７０２  気象映像
７０３、１１０１  字幕
７０４  地域合成映像
１１０２  地域のライブ映像
【図１】
2004184224.tif 000003
【図２】
2004184224.tif 000004
【図３】
2004184224.tif 000005
【図４】
2004184224.tif 000006
【図５】
2004184224.tif 000007
【図６】
2004184224.tif 000008
【図７】
2004184224.tif 000009
【図８】
2004184224.tif 000010
【図９】
2004184224.tif 000011
【図１０】
2004184224.tif 000012
【図１１】
2004184224.tif 000013